(57)【要約】      （修正有）【課題】静電容量式の設定キーを用いても、機械式の炊飯キーにおける誤操作の受け付けを低減できる炊飯器を提供する。【解決手段】制御手段は、先ず設定キーからの入力を許可し（Ｓ５１）、次いで炊飯キーがＯＮ（炊飯開始の指示）されたかどうかを判断する（Ｓ５２）。制御手段は設定キーの入力許可を出した後に（Ｓ５１）、炊飯キーのＯＮを検知したときには、内釜検知手段により内釜が検知されたかどうかを判断する（Ｓ５９）。制御手段は、内釜が検知されているときには、設定キーにより設定された炊飯条件に基づいて炊飯制御プログラムを実行し炊飯を行う（Ｓ５３）。また、制御手段は、内釜が検知されていないときには、（Ｓ５５）に進む。なお、設定キーからの入力がなく、炊飯キーがＯＮされたときには、前回の炊飯条件に基づいて炊飯プログラムを実行する。【選択図】図１５
2019177156.tif 000002
【特許請求の範囲】
【請求項１】
内釜が取り出し自在に収容される炊飯器本体と、
前記炊飯器本体の上部を開閉自在に覆う蓋体と、
前記内釜を加熱する加熱手段と、
前記内釜の温度を検知する温度検知手段と、
前記温度検知手段の温度検知に応じて前記加熱手段を制御する制御手段と、
前記内釜の有無を検知する内釜検知手段と、
炊飯条件を設定する静電容量式の設定キーと、
炊飯開始を指示する機械式の炊飯キーと、
前記設定キーの設定により入力された炊飯条件が変更されていたときには、変更された炊飯条件を炊飯制御プログラムへ反映させるかどうかを判断する変更反映手段と
を備え、
前記変更反映手段は、前記内釜が無いときに前記設定キーにより変更された炊飯条件を炊飯制御プログラムへ反映させるかどうかを判断することを特徴とする炊飯器。
【請求項２】
前記変更反映手段は、前記炊飯キーからの炊飯開始の指示を検知したときに、変更された炊飯条件を炊飯制御プログラムへ反映させることを特徴とする請求項１記載の炊飯器。
【発明の詳細な説明】
【技術分野】
【０００１】
本発明は、静電容量式の設定キーを備えた炊飯器に関するものである。
【背景技術】
【０００２】
従来の加熱調理器として、運転条件を受け付ける静電容量式の設定キーと、運転開始を受け付ける機械式の加熱開始スイッチと、運転の停止、運転条件の解除を受け付ける機械式の解除スイッチとを備えたものがある（例えば、特許文献１参照）。
【先行技術文献】
【特許文献】
【０００３】
【特許文献１】特開２０１４−１８５８２６号公報
【発明の概要】
【発明が解決しようとする課題】
【０００４】
このような構成の加熱調理器では、静電容量式の設定キーは濡れたタオルや、使用者の体の一部が接近することによって操作を誤検出する可能性がある。設定キーが操作を誤検出した場合、誤って入力された運転モードへメニューの設定が変更されてしまう。この場合、機械式のスイッチとすることで、誤って入力された運転モードのまま運転を開始したりすることはないが、メニューの設定自体は変更されてしまい、次回の炊飯条件の設定時には、メニュー設定から再設定しないと、希望のメニュー設定で炊飯をすることができない。つまり、知らぬ間にメニュー設定が変わってしまうことのある、非常に使い勝手の悪い加熱調理器となってしまう。
【０００５】
本発明は、前述のような課題を解決するためになされたもので、静電容量式の設定キーを用いても、機械式の炊飯キーにおける誤操作の受け付けを低減できる炊飯器を得ることを目的とする。
【課題を解決するための手段】
【０００６】
本発明に係る炊飯器は、内釜が取り出し自在に収容される炊飯器本体と、炊飯器本体の上部を開閉自在に覆う蓋体と、内釜を加熱する加熱手段と、内釜の温度を検知する温度検知手段と、温度検知手段の温度検知に応じて加熱手段を制御する制御手段と、内釜の有無を検知する内釜検知手段と、炊飯条件を設定する静電容量式の設定キーと、炊飯開始を指示する機械式の炊飯キーと、設定キーの設定により入力された炊飯条件が変更されていたときには、変更された炊飯条件を炊飯制御プログラムへ反映させるかどうかを判断する変更反映手段とを備え、変更反映手段は、内釜が無いときに設定キーにより変更された炊飯条件を炊飯制御プログラムへ反映させるかどうかを判断するものである。
【発明の効果】
【０００７】
本発明によれば、蓋体が閉じている期間に設定キーの入力を許可するようにしている。このように、蓋体が閉じている状態のときに、設定キーによる炊飯条件の入力を受け付けるので、設定キーの不用意な設定による炊飯条件の誤設定がなくなり、炊飯キーにおける誤操作の受け付けを低減できる。
【図面の簡単な説明】
【０００８】
【図１】本発明の実施の形態１に係る炊飯器の外観斜視図である。
【図２】図１に示す炊飯器の断面図である。
【図３】図１に示す炊飯器の平面図である。
【図４】本発明の実施の形態１に係る炊飯器の概略構成を示すブロック図である。
【図５】図４のブロック構成における制御手段の動作を示すフローチャートである。
【図６】本発明の実施の形態２に係る炊飯器の概略構成を示すブロック図である。
【図７】図６のブロック構成における制御手段の動作を示すフローチャートである。
【図８】本発明の実施の形態３に係る炊飯器の概略構成を示すブロック図である。
【図９】図８のブロック構成における制御手段の動作を示すフローチャートである。
【図１０】本発明の実施の形態４に係る炊飯器の概略構成を示すブロック図である。
【図１１】図１０のブロック構成における制御手段の動作を示すフローチャートである。
【図１２】本発明の実施の形態５に係る炊飯器の概略構成を示すブロック図である。
【図１３】図１２のブロック構成における制御手段の動作を示すフローチャートである。
【図１４】本発明の実施の形態６に係る炊飯器の概略構成を示すブロック図である。
【図１５】図１４のブロック構成における制御手段の動作を示すフローチャートである。
【図１６】本発明の実施の形態７に係る炊飯器の制御手段の動作を示すフローチャートである。
【発明を実施するための形態】
【０００９】
実施の形態１．
図１は本発明の実施の形態１に係る炊飯器の外観斜視図、図２は図１に示す炊飯器の断面図、図３は図１に示す炊飯器の平面図、図４は本発明の実施の形態１に係る炊飯器の概略構成を示すブロック図である。
【００１０】
本実施の形態１に係る炊飯器１は、図１および図３に示すように、炊飯器本体２と炊飯器本体２の上部を開閉自在に覆う蓋体３とで構成される。蓋体３の上面には、炊飯キー４、選択キー５、切／保温キー６、表示窓８、表示窓８の両側に配置された複数の設定キー７等により構成される操作パネル９が設けられている。設定キー７は、炊飯条件を設定する静電容量式のスイッチで、例えばお米キー、メニューキー、予約キー等で構成される。炊飯キー４は、機械式のスイッチである。また、蓋体３の上面には、炊飯時に発生する蒸気を排出する蒸気口１０が設けられている。炊飯器本体２の前面には、蓋体３を開閉する蓋開閉ボタン２ａが設けられている。
【００１１】
炊飯器本体２の内部には、図２に示すように、筒状に形成された遮熱板２１と、その遮熱板２１の下に設置されたほぼ深皿形状のコイル台２２とが設けられている。遮熱板２１とコイル台２２とにより有底筒状の内ケースが形成される。この内ケースに内釜１１が取り出し自在に収容される。この内釜１１は、上部外周面に内釜１１と一体に成型されたリング形状の鍔部１１ａが設けられている。
【００１２】
前述の遮熱板２１の外周面には、胴ヒーター２３が密着して取付けられている。胴ヒーター２３は、炊飯時および保温時に通電されて発熱する。なお、胴ヒーター２３に代えて、誘導加熱コイルを遮熱板２１の外周面に設けてもよい。コイル台２２の外面（底部およびコーナー部）には、誘導加熱コイルにより構成される加熱手段２４が設けられている。この加熱手段２４は、通電により交番磁界を発生し、内釜１１を電磁誘導により加熱する。また、コイル台２２の中心部には、内釜１１の底部に当接して内釜１１の温度を検知する例えばサーミスタにより構成される温度検知手段２５が設けられている。
【００１３】
炊飯器本体２の後部側の内部には、電源基板２６が設置されている。電源基板２６は、半田面（裏面）側に設置された基板ホルダー２６ａに固定されている。電源基板２６は、加熱手段２４に電力を供給するスイッチング素子、その他の電子部品等が実装されている。また、前述の電源基板２６には、スイッチング素子に当接された放熱器２７が取り付けられている。放熱器２７は、一定の間隔で整列された複数の放熱フィンを有し、熱伝導性のよいアルミニウム合金により形成されている。放熱器２７の下側には、冷却ファン２８が設置されている。
【００１４】
蓋体３の内側には、内蓋１２が取り付けられている。内蓋１２の周縁部には、例えばシリコンゴムにより形成されたリング状のパッキン１２ａが取り付けられている。この内蓋１２は、蓋体３が閉じられた際に、内釜１１の開口の周縁部にパッキン１２ａが当接して内釜１１の開口を密閉状態で閉塞する。
【００１５】
また、内蓋１２の表面には、おねば受容器１５が着脱自在に密接して装着されている。おねば受容器１５は、沸騰時に発生する内釜１１内の炊飯物の蒸気を取り込んで蒸気に含まれるおねばを分離し、内釜１１内の圧力が低下したときにおねばを内釜１１内に戻すように構成されている。おねば受容器１５は、蓋体３の内側に設けられた蒸気案内部１４と連通している。この連通により、おねば受容器１５からの蒸気は、蒸気案内部１４を介して蒸気口１０から排出される。
【００１６】
また、蓋体３の内側には、操作基板１３が取り付けられている。操作基板１３には、温度検知手段２５の温度検知に応じて胴ヒーター２３および加熱手段２４への通電を制御する制御手段を包含するマイコン（図示せず）、その他の電子部品等が実装されている。また、蓋体３の操作基板１３上の位置に、前述の操作パネル９が設けられている。
【００１７】
次に、本実施の形態１の炊飯器におけるブロック構成について図４を用いて説明する。
蓋開閉検知手段１６は、例えば、蓋体３が閉じられたときにＯＮするリミットスイッチにより構成されている。なお、リミットスイッチに代えて、ホールＩＣを用いても良い。この場合、炊飯器本体２の上部に磁石を設け、蓋体３の磁石と対向する位置にホールＩＣを設ける。このホールＩＣが磁石の磁気を検知したときに蓋体３の閉を検知する。
【００１８】
前述の制御手段３１は、静電容量式の設定キー７により設定された炊飯条件に基づいて炊飯制御プログラムを実行し、温度検知手段２５の温度検知に応じて加熱手段２４を制御する。炊飯制御プログラムの実行は、機械式の炊飯キーがＯＮされたときに行う。また、制御手段３１は、設定キー７の入力許可を蓋開閉検知手段１６が蓋体３の閉を検知している期間に有効とする。
【００１９】
ここで、本実施の形態１における制御手段３１の動作について図５を用いて説明する。図５は図４のブロック構成における制御手段の動作を示すフローチャートである。
制御手段３１は、先ず蓋体３が閉じているかどうかを判断する（Ｓ１）。制御手段３１は、蓋体３が開いているときには設定キー７からの入力を禁止し（Ｓ２）、蓋体３が閉じているときには設定キー７からの入力を許可する（Ｓ３）。制御手段３１は、設定キー７からの入力を許可したときには、炊飯キー４がＯＮ（炊飯開始の指示）されたかどうかを判断する（Ｓ４）。
【００２０】
制御手段３１は、炊飯キー４がＯＮされていないときには、ステップＳ１に戻って再び蓋体３が閉じているかどうかの判断に入る。制御手段３１は、設定キー７からの入力を許可した後に、炊飯キー４がＯＮされたときには、設定キー７により設定された炊飯条件に基づいて炊飯制御プログラムを実行し炊飯を行う（Ｓ５）。なお、設定キー７からの入力がなく、炊飯キー４がＯＮされたときには、前回の炊飯条件に基づいて炊飯制御プログラムを実行する。
【００２１】
以上のように本実施の形態１によれば、蓋体３が開いている間は設定キー７の入力を禁止し、蓋体３が閉じている期間では設定キー７の入力を許可するようにしている。このように、蓋体３が閉じている状態のときに、設定キー７による炊飯条件の入力を受け付けるので、設定キー７の不用意な設定による炊飯条件の誤設定がなくなり、炊飯キー４における誤操作の受け付けを低減できる。
【００２２】
実施の形態２．
図６は本発明の実施の形態２に係る炊飯器の概略構成を示すブロック図である。なお、実施の形態１と同様の部分には同じ符号を付している。
本実施の形態２における制御手段３２は、設定キー７の設定により入力された炊飯条件を解除する炊飯条件解除手段３２ａを備えている。入力された炊飯条件の解除は、設定キー７の入力を許可した後に、蓋開閉検知手段１６が蓋体３の閉を検知したときに行われる。この制御手段３２は、先ず設定キー７からの入力を許可し、次いで炊飯キー４からの炊飯開始の指示を検知しなかったときに、開いていた蓋体３が閉じると、許可した設定キー７の設定（炊飯条件）を解除する。この解除とは、掃除や水滴等で不用意に変更されてしまった設定内容（炊飯条件）を削除し、制御手段３２に予め設定されている設定内容に戻すことである。あるいは前回の炊飯時の設定内容（炊飯条件）に戻しても良い。
【００２３】
次に、本実施の形態２における制御手段３２の動作について図７を用いて説明する。
図７は図６のブロック構成における制御手段の動作を示すフローチャートである。
制御手段３２は、先ず設定キー７からの入力を許可し（Ｓ１１）、次いで炊飯キー４がＯＮ（炊飯開始の指示）されたかどうかを判断する（Ｓ１２）。制御手段３２は、設定キー７の入力許可を出した後に（Ｓ１１）、炊飯キー４のＯＮを検知したときには、蓋体３が閉じているかどうかを判断する（Ｓ１７）。制御手段３２は、蓋体３が閉じていると判断したときには、設定キー７により設定された炊飯条件に基づいて炊飯制御プログラムを実行し炊飯を行う（Ｓ１３）。また、制御手段３２は、蓋体３が閉じていないと判断したときには、ステップＳ１５に進む。なお、設定キー７からの入力がなく、炊飯キー４がＯＮされたときには、前回の炊飯条件に基づいて炊飯制御プログラムを実行する。
【００２４】
また、制御手段３２は、ステップＳ１２において、炊飯キー４のＯＮを検知しなかったときには、蓋開閉検知手段１６により蓋体３の閉が検知されたかどうかを判断する（Ｓ１４）。制御手段３２は、蓋開閉検知手段１６により蓋体３の閉が検知されたときには、ステップＳ１１に戻って再び設定キー７からの入力を許可する。制御手段３２は、蓋体３が閉じているときに、炊飯キー４のＯＮを検知すると、前述したように、設定キー７により設定された炊飯条件に基づいて炊飯制御プログラムを実行し炊飯を行う（Ｓ１７、Ｓ１３）。この場合も、設定キー７からの入力がなく、炊飯キー４がＯＮされたときには、前回の炊飯条件に基づいて炊飯制御プログラムを実行する。
【００２５】
制御手段３２は、炊飯キー４のＯＮを検知していないときに（Ｓ１２）、蓋体３が開いていた場合には（Ｓ１４）、蓋体３が閉じたかどうかを判断する（Ｓ１５）。制御手段３２は、蓋体３が開いていたときには、蓋体３が閉じるまでステップＳ１５で待機する。制御手段３２は、炊飯キー４のＯＮを検知していないときに（Ｓ１２）、開いていた蓋体３が閉じたとき（Ｓ１４、Ｓ１５）、あるいはステップＳ１１〜ステップＳ１４を繰り返し実行しているときに炊飯キー４のＯＮを検知し（Ｓ１２）、蓋体３が開いていたときには（Ｓ１７）、蓋体３が開状態のときに設定キー７より入力された炊飯条件を解除する（Ｓ１６）。
なお、設定キー７の設定の解除を、炊飯器１の動作状態が待機モードであるときに行われるようにしても良い。また、炊飯キー４のＯＮを検知していないときに、蓋体３が閉じているとき、あるいは蓋体３が開いているときに設定キー７の入力を許可するようにしているが、蓋体３が閉じているときのみに設定キー７の入力を許可するようにしても良い。待機モードとは商用電源が通電されているのみで、炊飯や保温等の加熱動作がされていない状態を言い、取消状態や取消モードとも言う。また、炊飯キー４のＯＮを検知していないときに、蓋体３が閉じているとき、あるいは蓋体３が開いているときに設定キー７の入力を許可するようにしているが、蓋体３が閉じているときのみに設定キー７の入力を許可するようにしても良い。
【００２６】
以上のように本実施の形態２においては、炊飯キー４のＯＮを検知していないときに、開いていた蓋体３が閉じたときには、蓋体３が開状態のときに設定キー７より入力された炊飯条件を解除するようにしている。これにより、前回の炊飯から現在までの間に設定キー７の誤検出による炊飯条件の誤設定が有ったとしても、前回の炊飯条件に戻る。このため、設定キー７による設定を再設定し直さなければならないという使い勝手の悪さを改善できる。
【００２７】
実施の形態３．
図８は本発明の実施の形態３に係る炊飯器の概略構成を示すブロック図である。なお、実施の形態１、２と同様の部分には同じ符号を付している。
本実施の形態３における制御手段３３は、設定キー７の設定により炊飯条件が変更されていたときには、変更された炊飯条件を炊飯制御プログラムへの反映を行うかどうかを判断する変更反映手段３３ａを備えている。炊飯条件の炊飯制御プログラムへの反映は、蓋開閉検知手段１６が蓋体３の閉を検知した時点で、炊飯キー４のＯＮを検知したときに行われる。
【００２８】
次に、本実施の形態３における制御手段３２の動作について図９を用いて説明する。
図９は図８のブロック構成における制御手段の動作を示すフローチャートである。
制御手段３３は、先ず設定キー７からの入力を許可し（Ｓ２１）、次いで炊飯キー４がＯＮ（炊飯開始の指示）されたかどうかを判断する（Ｓ２２）。制御手段３３は、設定キー７の入力許可を出した後に（Ｓ２１）、炊飯キー４のＯＮを検知したときには、蓋体３が閉じているかどうかを判断する（Ｓ２９）。制御手段３３は、蓋体３が閉じていると判断したときには、設定キー７により設定された炊飯条件に基づいて炊飯制御プログラムを実行し炊飯を行う（Ｓ２３）。また、制御手段３３は、蓋体３が閉じていないと判断したときには、ステップＳ２５に進む。なお、設定キー７からの入力がなく、炊飯キー４がＯＮされたときには、前回の炊飯条件に基づいて炊飯制御プログラムを実行する。
【００２９】
また、制御手段３３は、ステップＳ２２において、炊飯キー４のＯＮを検知しなかったときには、蓋開閉検知手段１６により蓋体３の閉が検知されたかどうかを判断する（Ｓ２４）。制御手段３３は、蓋開閉検知手段１６が蓋体３の閉を検知したときには、ステップＳ２１に戻って再び設定キー７からの入力を許可する。制御手段３３は、蓋体３が閉じているときに、炊飯キー４のＯＮを検知すると、前述したように、設定キー７により設定された炊飯条件に基づいて炊飯制御プログラムを実行し炊飯を行う（Ｓ２９、Ｓ２３）。この場合も、設定キー７からの入力がなく、炊飯キー４がＯＮされたときには、前回の炊飯条件に基づいて炊飯制御プログラムを実行する。
【００３０】
制御手段３３は、炊飯キー４のＯＮを検知していないときに（Ｓ２２）、蓋体３が開いていた場合には（Ｓ２４）、蓋体３が閉じたかどうかを判断する（Ｓ２５）。制御手段３３は、蓋体３が開いていたときには、蓋体３が閉じるまでステップＳ２５で待機する。制御手段３３は、炊飯キー４のＯＮを検知していないときに（Ｓ２２）、開いていた蓋体３が閉じたとき（Ｓ２４、Ｓ２５）、あるいはステップＳ２１〜ステップＳ２４を繰り返し実行しているときに炊飯キー４のＯＮを検知し（Ｓ２２）、蓋体３が開いていたときには（Ｓ２９）、蓋体３が開状態のときに設定キー７により炊飯条件が変更されたかどうかを判断する（Ｓ２６）。制御手段３３は、炊飯条件が変更されていないときには、ステップＳ２１に戻って前述した動作を繰り返す。また、制御手段３３は、炊飯条件が変更されているときには、蓋体３が開状態のときに変更された炊飯条件を炊飯制御プログラムへ反映させるかどうかを判断する（Ｓ２７）。ここで、制御手段３３は、炊飯キー４のＯＮを検知したときに、変更された炊飯条件を炊飯制御プログラムへ反映させて（Ｓ２８）、この炊飯制御プログラムに基づいて炊飯を行う。
【００３１】
以上のように本実施の形態３においては、開いていた蓋体３が閉じたときに、設定キー７の設定により変更された炊飯条件を炊飯制御プログラムへ反映させるかどうかを判断し、ここで、炊飯キー４のＯＮを検知したときには、変更された炊飯条件を炊飯制御プログラムへ反映させるようにしている。これにより、前回の炊飯から現在までの間の設定キー７の誤検出による炊飯条件の誤設定のまま炊飯してしまうようなことを防止でき、また、設定キー７による設定を再設定し直さなければならないという使い勝手の悪さを改善できる。
【００３２】
実施の形態４．
図１０は本発明の実施の形態４に係る炊飯器の概略構成を示すブロック図である。なお、実施の形態１と同様の部分には同じ符号を付している。
内釜検知手段１７として、例えば重量センサーが用いられている。この重量センサーは、炊飯器本体２に収容された内釜１１の重量（炊飯物も含む）を検知するものであり、この重量が検知されたときに内釜１１が炊飯器本体２に収容されたと検知する。
【００３３】
制御手段３４は、設定キー７により設定された炊飯条件に基づいて炊飯制御プログラムを実行し、温度検知手段２５の温度検知に応じて加熱手段２４を制御する。炊飯制御プログラムの実行は、炊飯キー４がＯＮされたときに行う。また、制御手段３４は、設定キー７の入力受付を内釜検知手段１７が内釜１１の収容を検知している期間に有効とする。
【００３４】
次に、本実施の形態４における制御手段３４の動作について図１１を用いて説明する。
図１１は図１０のブロック構成における制御手段の動作を示すフローチャートである。
制御手段３４は、先ず内釜１１が炊飯器本体２に収容されたかどうかを判断する（Ｓ３１）。制御手段３４は、内釜検知手段１７が内釜１１を検知していないときには設定キー７からの入力を禁止し（Ｓ３２）、内釜検知手段１７が内釜１１を検知したときには設定キー７からの入力を許可する（Ｓ３３）。制御手段３４は、設定キー７からの入力を許可したときには、炊飯キー４がＯＮ（炊飯開始の指示）されたかどうかを判断する（Ｓ３４）。
【００３５】
制御手段３４は、炊飯キー４がＯＮされていないときには、ステップＳ３１に戻って再び内釜１１が検知されたかどうかの判断に入る。制御手段３４は、設定キー７からの入力を許可した後に、炊飯キー４がＯＮされたときには、設定キー７により設定された炊飯条件に基づいて炊飯制御プログラムを実行し炊飯を行う（Ｓ３５）。なお、設定キー７からの入力がなく、炊飯キー４がＯＮされたときには、前回の炊飯条件に基づいて炊飯制御プログラムを実行する。
【００３６】
以上のように本実施の形態４によれば、内釜１１が炊飯器本体２に収容されていないときには設定キー７の入力を禁止し、内釜１１が炊飯器本体２に収容されている期間では設定キー７の入力を許可するようにしている。このように、内釜１１が炊飯器本体２に収容されているときに、設定キー７による炊飯条件の入力を受け付けるので、設定キー７の不用意な設定による炊飯条件の誤設定がなくなり、炊飯キー４における誤操作の受け付けを低減できる。
【００３７】
実施の形態５．
図１２は本発明の実施の形態５に係る炊飯器の概略構成を示すブロック図である。なお、実施の形態２と同様の部分には同じ符号を付している。
本実施の形態５における制御手段３５は、設定キー７の設定により入力された炊飯条件を解除する炊飯条件解除手段３５ａを備えている。炊飯条件を解除するタイミングは、内釜検知手段１７が内釜を検知した時点である。
【００３８】
次に、本実施の形態５における制御手段３５の動作について図１３を用いて説明する。
図１３は図１２のブロック構成における制御手段の動作を示すフローチャートである。
制御手段３５は、先ず設定キー７からの入力を許可し（Ｓ４１）、次いで炊飯キー４がＯＮ（炊飯開始の指示）されたかどうかを判断する（Ｓ４２）。制御手段３５は、設定キー７の入力許可を出した後に（Ｓ４１）、炊飯キー４のＯＮを検知したときには、内釜検知手段１７により内釜１１が検知されたかどうかを判断する（Ｓ４７）。制御手段３５は、内釜１１が検知されているときには、設定キー７により設定された炊飯条件に基づいて炊飯制御プログラムを実行し炊飯を行う（Ｓ４３）。また、制御手段３５は、内釜１１が検知されていないときには、ステップＳ４５に進む。なお、設定キー７からの入力がなく、炊飯キー４がＯＮされたときには、前回の炊飯条件に基づいて炊飯制御プログラムを実行する。
【００３９】
また、制御手段３５は、ステップＳ４２において、炊飯キー４のＯＮを検知していないときには、内釜検知手段１７により内釜１１が検知されたかどうかを判断する（Ｓ４４）。制御手段３５は、内釜検知手段１７により内釜１１が検知されたときには、ステップＳ４１に戻って再び設定キー７からの入力を許可する。制御手段３５は、内釜１１が検知されているときに、炊飯キー４のＯＮを検知すると、前述したように、設定キー７により設定された炊飯条件に基づいて炊飯制御プログラムを実行し炊飯を行う（Ｓ４７、Ｓ４３）。この場合も、設定キー７からの入力がなく、炊飯キー４がＯＮされたときには、前回の炊飯条件に基づいて炊飯制御プログラムを実行する。
【００４０】
制御手段３５は、炊飯キー４のＯＮを検知していないときに（Ｓ４２）、内釜１１を検知していない場合には（Ｓ４４）、内釜１１が炊飯器本体２に収容されたかどうかを判断する（Ｓ４５）。制御手段３５は、内釜１１が検知されなかったときには、内釜１１が検知されるまでステップＳ４５で待機する。制御手段３５は、炊飯キー４のＯＮを検知していないときに（Ｓ４２）、炊飯器本体２になかった内釜１１が収容されたとき（Ｓ４４、Ｓ４５）、あるいはステップＳ４１〜ステップＳ４４を繰り返し実行しているときに炊飯キー４のＯＮを検知し（Ｓ４２）、内釜１１を検知したときには（Ｓ４７）、内釜１１が無いときに設定キー７より入力された炊飯条件を解除する（Ｓ４６）。なお、設定キー７の設定の解除を、炊飯器１の動作状態が待機モードであるときに行われるようにしても良い。
【００４１】
以上のように本実施の形態５においては、炊飯キー４のＯＮを検知していないときに、炊飯器本体２に収容されていない内釜１１が収容されたことを検知したときには、内釜１１が無いときに設定キー７より入力された炊飯条件を解除するようにしている。これにより、前回の炊飯から現在までの間に設定キー７の誤検出による炊飯条件の誤設定が有ったとしても、前回の炊飯条件に戻る。このため、設定キー７による設定を再設定し直さなければならないという使い勝手の悪さを改善できる。
【００４２】
実施の形態６．
図１４は本発明の実施の形態６に係る炊飯器の概略構成を示すブロック図である。なお、実施の形態３と同様の部分には同じ符号を付している。
本実施の形態６における制御手段３６は、設定キー７の設定により炊飯条件が変更されていたときには、変更された炊飯条件を炊飯制御プログラムへ反映させるかどうかを判断する変更反映手段３６ａを備えている。炊飯条件の炊飯制御プログラムへの反映は、内釜検知手段１７が内釜１１を検知した時点で、炊飯キー４のＯＮを検知したときである。
【００４３】
次に、本実施の形態６における制御手段３６の動作について図１５を用いて説明する。
図１５は図１４のブロック構成における制御手段の動作を示すフローチャートである。
制御手段３６は、先ず設定キー７からの入力を許可し（Ｓ５１）、次いで炊飯キー４がＯＮ（炊飯開始の指示）されたかどうかを判断する（Ｓ５２）。制御手段３６は、設定キー７の入力許可を出した後に（Ｓ５１）、炊飯キー４のＯＮを検知したときには、内釜検知手段１７により内釜１１が検知されたかどうかを判断する（Ｓ５９）。制御手段３６は、内釜１１が検知されているときには、設定キー７により設定された炊飯条件に基づいて炊飯制御プログラムを実行し炊飯を行う（Ｓ５３）。また、制御手段３６は、内釜１１が検知されていないときには、ステップＳ５５に進む。なお、設定キー７からの入力がなく、炊飯キー４がＯＮされたときには、前回の炊飯条件に基づいて炊飯制御プログラムを実行する。
【００４４】
また、制御手段３６は、ステップＳ５２において、炊飯キー４のＯＮを検知しないときには、内釜検知手段１７により内釜１１が検知されたかどうかを判断する（Ｓ５４）。制御手段３６は、内釜検知手段１７が内釜１１を検知したときには、ステップＳ５１に戻って再び設定キー７からの入力を許可する。制御手段３６は、内釜１１を検知しているときに、炊飯キー４のＯＮを検知すると、前述したように、設定キー７により設定された炊飯条件に基づいて炊飯制御プログラムを実行し炊飯を行う（Ｓ５３）。この場合も、設定キー７からの入力がなく、炊飯キー４がＯＮされたときには、前回の炊飯条件に基づいて炊飯制御プログラムを実行する。
【００４５】
制御手段３６は、炊飯キー４のＯＮを検知していないときに（Ｓ５２）、内釜１１を検知していない場合には（Ｓ５４）、内釜１１が炊飯器本体２に収容されたかどうかを判断する（Ｓ５５）。制御手段３６は、内釜１１が検知されなかったときには、内釜１１が検知されるまでステップＳ５５で待機する。制御手段３６は、炊飯キー４のＯＮを検知していないときに（Ｓ５２）、炊飯器本体２になかった内釜１１が収容されたとき（Ｓ５４、Ｓ５５）、あるいはステップＳ５１〜ステップＳ５４を繰り返し実行しているときに炊飯キー４のＯＮを検知し（Ｓ５２）、内釜１１を検知したときには（Ｓ５９）、内釜１１が無いときに設定キー７により炊飯条件が変更されたかどうかを判断する（Ｓ５６）。制御手段３６は、内釜１１が無いときに炊飯条件が変更されていないときには、ステップＳ５１に戻って前述した動作を繰り返し、炊飯条件が変更されているときには、内釜１１が無いときに変更された炊飯条件を炊飯制御プログラムへ反映させるかどうかを判断する（Ｓ５７）。ここで、制御手段３６は、炊飯キー４のＯＮを検知したときには、変更された炊飯条件を炊飯制御プログラムへ反映させて（Ｓ５８）、この炊飯制御プログラムに基づいて炊飯を行う。
【００４６】
以上のように本実施の形態６においては、炊飯器本体２に収容されていない内釜１１が収容されたことを検知したときに、設定キー７の設定により変更された炊飯条件を炊飯制御プログラムへ反映させるかどうかを判断し、炊飯キー４のＯＮを検知したときには、変更された炊飯条件を炊飯制御プログラムへ反映させるようにしている。これにより、前回の炊飯から現在までの間の設定キー７の誤検出による炊飯条件の誤設定のまま炊飯してしまうようなことを防止でき、また、設定キー７による設定を再設定し直さなければならないという使い勝手の悪さを改善できる。
【００４７】
実施の形態７．
実施の形態１では、蓋体３の閉を検知した後に、設定キー７の入力を許可するようにしたが、実施の形態７は、蓋体３の閉を検知し、かつ炊飯キー４のＯＮを検知した後に、設定キー７の入力を許可するようにしたものである。
なお、実施の形態７におけるブロック構成は、図４に示すブロック図と同じである。
【００４８】
制御手段３１は、静電容量式の設定キー７により設定された炊飯条件に基づいて炊飯制御プログラムを実行し、温度検知手段２５の温度検知に応じて加熱手段２４を制御する。炊飯制御プログラムの実行は、機械式の炊飯キー４がＯＮされたときに行う。また、制御手段３１は、静電容量式の設定キー７の入力を、蓋開閉検知手段１６が蓋体３の閉を検知し、かつ炊飯キー４のＯＮを検知したときに許可する。制御手段３１は、設定キーの入力許可を出した後に、再び炊飯キー４のＯＮを検知したときには炊飯を行う。
【００４９】
ここで、本実施の形態７における制御手段３１の動作について図１６を用いて説明する。  
図１６は本発明の実施の形態７に係る炊飯器の制御手段の動作を示すフローチャートである。
制御手段３１は、先ず蓋体３が閉じているかどうかを判断する（Ｓ６１）。制御手段３１は、蓋体３が開いているときには設定キー７からの入力を禁止し（Ｓ６２）、蓋体３が閉じているときには炊飯キー４がＯＮされたかどうかを判断する（Ｓ６３）。炊飯キー４がＯＮされていないときにはＳ６１に戻って、前述の動作を繰り返す。制御手段３１は、Ｓ６３において、炊飯キー４のＯＮを検知したときには、設定キー７からの入力を許可する（Ｓ６４）。制御手段３１は、設定キー７からの入力を許可したときには、再び炊飯キー４がＯＮ（炊飯開始の指示）されたかどうかを判断する（Ｓ６５）。
【００５０】
制御手段３１は、炊飯キー４がＯＮされていないときには、ステップＳ６４に戻って設定キー７からの入力を許可する。また、制御手段３１は、ステップＳ６５において、炊飯キー４のＯＮを検知したときには、設定キー７により設定された炊飯条件に基づいて炊飯制御プログラムを実行し炊飯を行う（Ｓ６６）。なお、設定キー７からの入力がなく、炊飯キー４がＯＮされたときには、前回の炊飯条件に基づいて炊飯制御プログラムを実行する。
【００５１】
以上のように本実施の形態７によれば、蓋体３が開いている間は設定キー７の入力を禁止し、蓋体３が閉じている期間では炊飯キー４のＯＮの後に設定キー７の入力を許可するようにしている。このように、蓋体３が閉じている状態のときに、炊飯キー４のＯＮを検知したときに設定キー７による炊飯条件の入力を受け付けるので、炊飯条件の誤設定がなく、炊飯キー４における誤操作の受け付けを低減できる。
【符号の説明】
【００５２】
１  炊飯器、２  炊飯器本体、２ａ  蓋開閉ボタン、３  蓋体、４  炊飯キー、５  選択キー、６  切／保温キー、７  設定キー、８  表示窓、９  操作パネル、１０  蒸気口、１１  内釜、１１ａ  鍔部、１２  内蓋、１２ａ  パッキン、１３  操作基板、１４  蒸気案内部、１５  おねば受容器、１６  蓋開閉検知手段、１７  内釜検知手段、２１  遮熱板、２２  コイル台、２３  胴ヒーター、２４  加熱手段（誘導加熱コイル）、２５  温度検知手段（温度センサー）、２６  電源基板、２６ａ  基板ホルダー、２７  放熱器、２８  冷却ファン、３１  制御手段、３２  制御手段、３２ａ  炊飯条件解除手段、３３  制御手段、３３ａ  変更反映手段、３４  制御手段、３５  制御手段、３５ａ  炊飯条件解除手段、３６  制御手段、３６ａ  変更反映手段。
【図１】
2019177156.tif 000003
【図２】
2019177156.tif 000004
【図３】
2019177156.tif 000005
【図４】
2019177156.tif 000006
【図５】
2019177156.tif 000007
【図６】
2019177156.tif 000008
【図７】
2019177156.tif 000009
【図８】
2019177156.tif 000010
【図９】
2019177156.tif 000011
【図１０】
2019177156.tif 000012
【図１１】
2019177156.tif 000013
【図１２】
2019177156.tif 000014
【図１３】
2019177156.tif 000015
【図１４】
2019177156.tif 000016
【図１５】
2019177156.tif 000017
【図１６】
2019177156.tif 000018